(57)【要約】【課題】通線を簡易かつ迅速で確実に設置することができ、また清掃対象としての伏越管の長さによる限定を受けないこと。【解決手段】伏越管内に移動自在に挿入されワイヤを伏越管内に通すために使用される本体1は、中実あるいは中空密閉の円錐台形状あるいは球形状に形成され、本体１後方部には通線１０を連結するための通線取付金具４を設ける。本体１の下部には錘体５、上部には密閉された空気部７を設け、当該物全体の比重が0.8から0.98の範囲、かつ当該物全体の重心位置が本体１の高さの15％から40％の範囲にある。【選択図】  図１
2007016494.tif 000002
【特許請求の範囲】
【請求項１】
下水道の伏越管に移動自在に挿入されワイヤを伏越管内に通すために使用するものであって、中実あるいは中空密閉に形成された円錐台形状の本体からなり、該本体の一部に通線を連結するための通線取付部を有するものであって、当該物の全体の比重が0.80から0.98の範囲内で、かつ該本体高さの15％から40％の範囲内に当該物全体の重心位置を有することを特徴とする伏越管用通線機。
【請求項２】
請求項１記載の伏越管用通線機において、上記本体を球形状に形成することを特徴とする伏越管用通線機。
【請求項３】
請求項１から2記載の伏越管用通線機において、本体上部に空隙部を有することを特徴とする伏越管用通線機。
【発明の詳細な説明】
【技術分野】
【０００１】
本発明は、下水道の伏越管清掃の前作業する通線機に関するものである。
【背景技術】
【０００２】
流水状態における下水道用伏越管の清掃は、例えば金属製またはゴム製からなる清掃用球体物の両端部をワイヤで連結して下水道用伏越管内に導入し、この状態でワイヤを下水の流出方向とは反対方向に巻上げおよび下水の流出方向に巻き戻して行うのであるが、その前作業としてワイヤを下水用伏越管内に挿入する作業がある。この前作業は二段階に分かれ、まずタコ糸のような紐状物からなる通線を上流側のマンホールより垂下し、下水の流れにより下流側のマンホールまで伏越管内を貫通させる。次いで清掃用球体物の両端を連結し移動させるためのワイヤ（移動ワイヤ）を通すためのワイヤ（準備ワイヤ）を通線に連結しこれを伏越管内に貫通させる。次いでこの準備ワイヤに移動ワイヤを連結し、移動ワイヤを伏越管内に貫通させる。その後、移動ワイヤに清掃用球体物の両端を連結して清掃用球体物を伏越管内に導入し往復移動させ下水道用伏越管の管内清掃を行うのである。
【０００３】
しかし、この方法によると、伏越管内に固形の汚物等が堆積・付着している場合や上流側人孔内水位から伏越管入口までの深さが深いと通線の貫通が困難となったり時間や手間がかかるという厄介な問題があった。
【０００４】
別の方法として、電話線設置用の鋼線からなるワイヤを転用し前作業をすることが行なわれていた。
【０００５】
これは、ワイヤの直進性を利用して伏越管内に通線としてのワイヤを貫通する方法である．しかし、この方法によると、手探りの状態でワイヤを単に押込んでいくだけの作業であるため、伏越管入口への到達や伏越管内に堆積物・付着物があると貫通に手間と時間がかかるという欠点があった。
【０００６】
またワイヤの直進性に限度があるため、伏越管長さが50m位までが適用範囲で、条件の良い伏越管でも100ｍが限度であった。実際には100ｍを超える伏越管も多々存在し、かかる場合には清掃が無理かあるいは著しく困難となっていた。
【０００７】
これらの改善策として（例えば、特許文献１）、中空かつ密閉の本体に適当な数量の錘体を取付け、周囲に下水管内を滑動するローラを取付けた通線機がある。この通線機は下水の流れにより伏越管内を流下し通線を貫通させるのであるが、構造が複雑なため伏越管内を流下する時に管内付着物の障害を受けやすく、下水中の汚物が通線機の一部に引っ掛かる場合もあり、堆積物や付着物が多い伏越管においては貫通に手間と時間がかかった。また、この通線機は上流側人孔水面上から伏越管入口部に到達させるには押込み金具で導く必要があった。このようなことから、付着物が多い伏越管や上流側人孔水面から伏越管入口までの高さが高いと通線作業が困難であった。
【特許文献１】平成11年特願第５４３５５
【発明の開示】
【発明が解決しようとする課題】
【０００８】
本発明は従来技術の欠点を解消し、下水用伏越管の通線作業を簡易かつ迅速で確実に設置する事を目的とする。また本発明の他の目的は清掃対象となる伏越管が長距離の場合にも適用可能であることである。
【課題を解決するための手段】
【０００９】
上記目的達成のため、本発明の伏越管用通線機は、伏越管内に堆積物や付着物が存在しても水の流れる流路は流速の速い管中央部を中心に形成されることに注目し、水の流路に乗りやすい形状と比重、人孔の水面から伏越管入口に到達しやすい比重と形状、管内付着物等の障害物に遭遇した場合には簡単に姿勢を変えて流下でき通過後は姿勢を元に戻すことができる形状と比重と重心位置および下水中の汚物が引っ掛かりにくい形状となっている。
本発明による伏越管用通線機は、下水道の伏越管に移動自在に挿入されワイヤを伏越管内に通すために使用するものであって、中実あるいは中空密閉に形成された円錐台形状の本体からなり、該本体の一部に通線を連結するための通線取付部を有するものであって、当該物の全体の比重が0.80から0.98の範囲内で、かつ該本体高さの15％から40％の範囲内に当該物全体の重心位置を有することを特徴とする。
また、請求項１記載の伏越管用通線機において、上記本体を球体状に形成することを特徴とする。
また、請求項１から2記載の伏越管用通線機において、本体上部に空隙部を有することを特徴とする。
【発明の効果】
【００１０】
このように本発明による伏越管用通線機によれば、通線を簡易かつ迅速で確実に設置することができ、また清掃対象としての伏越管の長さによる限定を受けないという効果がある。
【実施例】
【００１１】
図１乃至図２は本発明実施形態の第１の側面断面図、正面図であって、本体１は木材からなる中実体であり、円錐台形状に形成する。該本体１は前方両側面を流線形状８に形成すると共に、上部２と下部３にそれぞれ凹陥部を形成する。上部凹陥部は水密カバー６で密閉して空気部７を形成する。末広がり状に形成した下部凹陥部には高温で溶融する金属製の錘体５を流し込み常温で凝固させ、本体１との隙間部には防水シール剤を充填する。本体１の後方部には紐状物からなる通線１０を連結するための通線取付金具４を設ける。本体１の外表面は防水塗装をした後蛍光塗装を施す。
【００１２】
本体１の大きさは最大胴部の胴回り長が200mmから1000mmの範囲および高さが70mmから350mmの範囲において任意である。
【００１３】
錘体５の大きさと重量は通線機全体の比重が0.8から0.98の範囲および通線機全体の重心位置９が本体１の高さの15％から40％の範囲において任意である。
【００１４】
図３は本発明実施形態の第２の側面断面図であって、本体１は合成樹脂からなる中空体であり、球形状に形成する。該本体１は上部に空気部７、下部に錘体５を収納する。本体１の後方部には紐状物からなる通線１０を連結するための通線取付金具４を設ける。  
【００１５】
次に上記構成の伏越管用通線機による伏越管清掃の前作業について図４を参照して説明する。図中１１は清掃対象となる伏越管、１２は上流側下水管、１３は下流側下水管、１４は上流側人孔、１５は下流側人孔、１６a、１６bは共に下水、１７は堆積物、１８は付着物である。  
【００１６】
実施の形態においては、通線機本体１に設置してある通線取付金具４に通線１０を連結して上流側人孔１４より通線機を導入する。上流側人孔１４水面上ある高さから通線機を自然落下させると、通線機は自然落下エネルギーにより水面下ある深さまで沈降する。通線機が伏越管１１の入口近辺に至ると、通線機は下水１６aの伏越管１１への流入速度エネルギーの働きをうけて伏越管１１内に進入する。通線機は伏越管１１内の下水の流れにのって、堆積物１７の障害を受けることなく矢印方向へ進行する。途中付着物１８等障害物が存在していても、通線機本体１が伏越管１１流路径に対して適正な大きさであることや上下左右に流下姿勢を変え易い形状・比重・重心位置を持っていることから、伏越管１１内に滞留することなく進行することができる。形状が単純で各部が丸みを持っていることから、下水中の汚物が通線機に引っ掛かることもない。伏越管１１内を流下した通線機は、自身の浮力と下水１６bの流れ速度エネルギーにより下流側人孔１５の水面上に浮上する。下流側人孔１５の水面上に浮上した通線機は本体１の外面に塗布された蛍光塗料により迅速に存在を識別され捕捉されることとなる。
【００１７】
かくして通線機が伏越管１１を貫通すると通線取付金具４を介して取付けた通線１０が伏越管１１に貫通・設置されたことになる。下流側人孔１５で識別された通線機は捕捉・回収する。次いで設置された通線１０の一端に図示しない準備ワイヤを連結し、他端の通線１０を引っ張ることにより準備ワイヤを伏越管１１内に貫通・設置する。準備ワイヤの設置後通線１０は回収する。次いで設置されている準備ワイヤの一端に図示しない移動ワイヤを連結し、他端の準備ワイヤを引っ張ることにより移動ワイヤを伏越管１１内に貫通・設置する。この移動ワイヤには予め清掃用機器取付金具を連結しておくので、これにより伏越管１１の清掃準備が終了する。しかる後伏越管清掃を行うことになる。なお、伏越管１１の管内流速が速い時や移動ワイヤとして比重の軽い合成樹脂製ワイヤを使用する場合は、通線１０が貫通・設置したら準備ワイヤの貫通・設置工程を省略していきなり移動ワイヤを通線１０に連結して、移動ワイヤを伏越管１１内に貫通・設置できる。
【００１８】
上記実施の形態によれば、通線機を上流側人孔１４へ導入し、上流側人孔水面上のある高さから自然落下させれば通線１０の伏越管１１内への貫通・設置が完了する。よって通線１０を設置するための事後的な何らの人的作業を要することがないので、通線１０の簡易かつ迅速で確実な設置が可能となる。また通線機は下水の流路に乗って通線１０を伏越管１１内に貫通・設置するので、清掃対象となる伏越管１１が長距離の場合も適用可能である。
【図面の簡単な説明】
【００１９】
【図１】本願発明による伏越管用通線機の実施の形態を示す側面断面図である。
【図２】図１の正面図である。
【図３】図１の変形例を示す側面断面図である。
【図４】本願発明による伏越管用通線機の使用状態を示す図である。
【符号の説明】
【００２０】
１      本体
２      上部
３      下部
４      通線取付金具
５      錘体
６      水密カバー
７      空気部
８      流線形状
９      重心位置
１０    通線
１１    伏越管
１２    上流側下水管
１３    下流側下水管
１４    上流側人孔
１５    下流側人孔
１６a   下水
１６b   下水
１７    堆積物
１８    付着物
【図１】
2007016494.tif 000003
【図２】
2007016494.tif 000004
【図３】
2007016494.tif 000005
【図４】
2007016494.tif 000006